(57)【要約】      （修正有）【課題】複数の用途に使用可能な多機能杖を提供する。【解決手段】多機能杖は杖本体１、ブラケット２、及び１つ或いは複数の杖本体付き３又は４を備える。杖本体自体は杖として使用され、杖本体はブラケットにより１つの杖本体付きに固定され、松葉杖またはロフストランドクラッチとして使用されることを特徴とする。【選択図】図１
0003196158.tif 000002
【実用新案登録請求の範囲】
【請求項１】
杖本体と、
ブラケットと、
１つ或いは複数の杖本体付きを備え、
前記杖本体自体は杖として使用され、前記杖本体は前記ブラケットにより１つの前記杖本体付きに固定され、他の機能を具備する杖として使用されることを特徴とする、
多機能杖。
【請求項２】
１つ或いは複数の杖本体付きは、１つのアンダーアーム杖本体付きを備えることを特徴とする、請求項１記載の多機能杖。
【請求項３】
１つ或いは複数の杖本体付きは、１つのアームカフ杖本体付きを備えることを特徴とする、請求項１記載の多機能杖。
【請求項４】
前記杖本体は把持部、棒部、及び支持部を備えることを特徴とする、請求項１記載の多機能杖。
【請求項５】
前記ブラケットは穿設部及び収納部を備え、装設する際には、前記棒部は前記穿設部を貫通させ、前記杖本体付きの組立端は収納部内に挿設されることを特徴とする、請求項４記載の多機能杖。
【請求項６】
前記杖本体及び前記杖本体付きを固定させるため固定機構を更に備えることを特徴とする、請求項４記載の多機能杖。
【請求項７】
前記固定機構は中空状の柱体及び位置決め栓を備え、前記柱体の一側は前記把持部に固定され、前記柱体の他側の側壁には貫通孔を有し、前記位置決め栓は前記貫通孔に対応させることを特徴とする、請求項６記載の多機能杖。
【請求項８】
前記支持部は複数の支持脚を有することを特徴とする、請求項４記載の多機能杖。
【請求項９】
前記杖本体は長さ調整機構を有することを特徴とする、請求項１記載の多機能杖。
【請求項１０】
各前記杖本体付きは長さ調整機構を有することを特徴とする、請求項１記載の多機能杖。
【請求項１１】
把持部からなる杖本体と、
ブラケットと、
１つ或いは複数の杖本体付きを備え、
前記杖本体自体は杖として使用され、前記杖本体は前記ブラケットにより１つの前記杖本体付きに連結され、且つ前記杖本体付き及び前記把持部の固定後、他の機能を具備する杖として使用されることを特徴とする、
多機能杖。
【考案の詳細な説明】
【技術分野】
【０００１】
本考案は、多機能杖に関する。
【背景技術】
【０００２】
杖は一種の走行補助道具であり、本来両足で支えている体重の大部分を上半身で支えるようにする。怪我や障害等で短期間或いは長期間両足で体重を支えられなくなった場合に、杖を使用して歩行を補助させる。
【考案の概要】
【考案が解決しようとする課題】
【０００３】
支持する部位により杖は幾つかの種類に分けられる。例えば、脇の下で支える松葉杖、前腕で支えるロフトランドクラッチ、プラットホームクラッチ等である。従来の杖は皆単一の機能しか具備していない。よって、もし２種類以上の機能を使用したい場合は、別個に杖を購入せねばならず、出費がかさむ上、場所も取るといった問題があった。
【０００４】
そこで、本考案者は上記の欠点が改善可能と考え、鋭意検討を重ねた結果、合理的設計で上記の課題を効果的に改善する本考案の提案に到った。
【０００５】
本考案は、上記の事情を考慮してなされたもので、上記課題解決のため、本考案は、多機能杖を提供することを主目的とする。
【課題を解決するための手段】
【０００６】
上述した課題を解決し、目的を達成するために、本考案に係る多機能杖は杖本体、ブラケット、及び１つ或いは複数の杖本体付きを備える。前記杖本体自体は杖として使用されるが、前記杖本体は前記ブラケットにより１つの前記杖本体付きに固定されることで、他の機能を具備する杖として使用される。
【０００７】
本実施形態において、前記杖本体付きは１つのアンダーアーム杖本体付きである。
【０００８】
本実施形態において、前記杖本体付きを備え１つのアームカフ杖本体付きである。
【０００９】
本実施形態において、前記杖本体は把持部、棒部、及び支持部を備える。
【００１０】
本実施形態において、前記ブラケットは穿設部及び収納部を備え、装設する場合は、前記棒部は前記穿設部を貫通させ、前記杖本体付きの組立端は収納部内に挿設される。
【００１１】
本実施形態において、多機能杖は、前記杖本体及び前記杖本体付きの固定に用いられる固定機構を更に備える。
【００１２】
本実施形態において、前記固定機構は中空の柱体及び位置決め栓を備え、前記柱体の一側は前記把持部に固定され、前記柱体の他側の側壁には貫通孔を有し、前記位置決め栓は前記貫通孔に対応させる。
【図面の簡単な説明】
【００１３】
【図１】本考案の第１実施形態による多機能杖を示す外観斜視図である。
【図２】本考案の第１実施形態による多機能杖の杖本体を示す外観斜視図である。
【図３】本考案の他の実施形態による多機能杖の杖本体を示す外観斜視図である。
【図４Ａ】本考案の第１実施形態による多機能杖のブラケットを示す外観斜視図である。
【図４Ｂ】本考案の第１実施形態による多機能杖のブラケットを示す外観斜視図である。
【図５Ａ】本考案の第１実施形態による多機能杖のアンダーアーム杖本体付きを示す外観斜視図である。
【図５Ｂ】本考案の第１実施形態による多機能杖の脇の下支持部を示す外観斜視図である。
【図５Ｃ】本考案の第１実施形態による多機能杖の脇の下支持パットを示す外観斜視図である。
【図５Ｄ】本考案の第１実施形態による多機能杖の脇の下支持パットを示す背面図である。
【図６Ａ】本考案の第１実施形態による多機能杖のアームカフ杖本体付きを示す外観斜視図である。
【図６Ｂ】本考案の第１実施形態による多機能杖の肘支持部を示す外観斜視図である。
【図６Ｃ】本考案の第１実施形態による多機能杖の肘支持部を示す外観斜視図である。
【図７】本考案の第１実施形態による杖本体及びアンダーアーム杖本体付きが脇の下の杖に結合される斜視図である。
【図８】本考案の第１実施形態による杖本体及びアンダーアーム杖本体付きが肘杖に結合される斜視図である。
【図９】本考案の第１実施形態による固着構造を示す断面模式図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
（第１実施形態）
以下、第１実施形態を図１〜９に基づいて説明する。図１は本考案の好ましい実施形態に係る多機能杖である。杖本体１、ブラケット２、及びアンダーアーム杖本体付き３やアームカフ杖本体付き４等の１つ或いは複数の杖本体付きを備える。
【００１６】
杖本体１自体は普通の杖として使用可能である。図１に示すように、杖本体１は把持部１０、棒部１１、及び支持部１２を備えるが、但しこれらに限定されない。把持部１０は使用者が把持するのに用いられる。棒部１１は２つの端を有し、一端は把持部１０に連結され、他端は支持部１２に連結される。支持部１２は地面に接触し、グリップ力、緩衝性、及び安定性を有する。
【００１７】
図２は杖本体１の詳細である。本実施形態において、支持部１２は、複数の支持脚１２２、及び枢設方式により支持脚１２２と棒部１１との間に位置され、棒部１１と支持脚１２２との間の角度を任意で変更可能にして杖の使用上の応用性及び安定性を向上させる１つの回転球（図示せず）を備えるが、但しこれらに制限されない。
各支持脚１２２の底部には取り外し可能なシース１２４を有し、シース１２４が取り外されると、スパイク（図示せず）が露出し、濡れて滑り易い地面や泥地での使用に適合させる。このほか、棒部１１は長さ（或いは高さ）調整機構を有する。例えば、棒部１１は外部棒１１２及び内部棒１１４を含み、内部棒１１４は外部棒１１２内で滑動する。外部棒１１２は締め付け構造１１２２及び複数の位置決め孔１１２４を有し、内部棒１１４は弾性により圧縮される凸部構造１１４２を有する。
締め付け構造１１２２は内部棒１１４を固定或いは解放させる。締め付け構造１１２２が（例えば、回転方式により解放させる）内部棒１１４を解放させると、使用者は凸部構造１１４２を押下させ、内部棒１１４を外部棒１１２内で滑動させ、凸部構造１１４２を特定の位置決め孔１１２４内に位置させ、再度締め付け構造１１２２を用いて内部棒１１４を固定させることで棒部１１の長さを調整出来る。
【００１８】
本実施形態において、支持部１２は従来の構造のもので構わない。図３は本考案の他の実施形態に係る杖本体５であり、杖本体１との異なる部分は、支持部１２が単一構造であり、複数の支持脚を具備しない点である。
【００１９】
本実施形態によれば、杖本体１にはブラケット２により杖本体付きが固定され、他の機能を具備する杖になる。例えば、杖本体１にアームカフ杖本体付き４が固定されると、ロフトランドクラッチになる。杖本体１にアンダーアーム杖本体付き３が固定されると、松葉杖になる。
【００２０】
図４Ａ及び図４Ｂは本考案の好ましい実施形態に係るブラケット２の外観斜視図及び断面図を各々図示する。本実施形態において、ブラケット２は三角形或いは梯子型に似た外観を有するが、但しこれらに限定されない。
図４Ａ及び図４Ｂに示すように、ブラケット２は穿設部２２及び収納部２４を有し、前述の杖本体１（或いは杖本体５）の棒部１１は穿設部２２に貫入され、前述の杖本体付き、例えばアームカフ杖本体付き４（図１参照）やアンダーアーム杖本体付き３（図１参照）の一端は、収納部２４内に挿設される。
【００２１】
図５Ａは本考案の好ましい実施形態に係るアンダーアーム杖本体付き３を図示する。好ましくは、アンダーアーム杖本体付き３は外部棒３２及び内部棒３４を備える。内部棒３４は外部棒３２内で滑動する。外部棒３２は締め付け構造３２２及び複数の位置決め孔３２４を有し、内部棒３４は弾性により圧縮される凸部構造３４２を有する。
締め付け構造３２２は内部棒３４の固定或いは解放に用いられる。締め付け構造３２２が（例えば、回転方式により解放させる）内部棒３４を解放させると、使用者は凸部構造３４２を押下させることで内部棒３４を外部棒３２内で滑動させ、凸部構造３４２を特定の位置決め孔３２４に位置させ、再度締め付け構造３２２により内部棒３４を固定させることで、アンダーアーム杖本体付き３の長さ（或いは高さ）を調整できる。
このほか、外部棒３２はブラケット２に装設される組立端３２６を有する。内部棒３４は脇の下支持部３４４を有し、脇の下からの支持に用いられる。脇の下支持部３４４は脇の下ブラケット３４４２（図５Ｂ参照）及び脇の下支持パッド３４４４（図５Ｃ及び図５Ｄ参照）を備える。
【００２２】
図６Ａは本考案の好ましい実施形態に係るアームカフ杖本体付き４を図示する。好ましくは、アームカフ杖本体付き４は外部棒４２及び内部棒４４を備える。内部棒４４は外部棒４２内で滑動する。外部棒４２は締め付け構造４２２及び複数の位置決め孔４２４を有し、内部棒４４は弾性により圧縮される凸部構造４４２を有する。
締め付け構造４２２は内部棒４４を固定或いは解放させるために用いられる。締め付け構造４２２が（例えば、回転方式により解放させる）内部棒４４を解放させると、使用者は凸部構造４４２を押下させることで内部棒４４を外部棒４２内で滑動させ、凸部構造４４２を特定の位置決め孔４２４に位置させて、再度締め付け構造４２２により内部棒４４を固定させることで、アームカフ杖本体付き４の長さ（或いは高さ）を調整できる。このほか、外部棒４２はブラケット２に装設される組立端４２６を有する。内部棒４４は肘での支持に用いられる肘支持部４６を有し、使用者の肘は肘支持部４６の内側に置かれる。
図６Ｂ及び図６Ｃは肘支持部４６の正面図及び側面図を図示する。また、図７は本考案の好ましい実施形態を図示する。アンダーアーム杖本体付き３及び杖本体１はブラケット２により結合された後、松葉杖となる。具体的には、杖本体１の棒部１１がブラケット２の穿設部２２に貫入され、アンダーアーム杖本体付き３の組立端３２６がブラケット２の収納部２４に設置されることで、装設が完成する。
【００２３】
図８は本考案の好ましい実施形態を図示する。アームカフ杖本体付き４及び杖本体１はブラケット２により結合された後、ロフトランドクラッチとなる。具体的には、杖本体１の棒部１１がブラケット２の穿設部２２に貫入され、アームカフ杖本体付き４の組立端４２６がブラケット２の収納部２４に設置されることで、装設が完成する。
【００２４】
本実施形態によれば、多機能杖は、杖本体１と杖本体付き及び／或いはブラケット２とを固定させる１つ或いは複数の固定機構を更に有する。
図９は本考案の好ましい実施形態に係る固着構造６を図示する。図７、図８及び図９に示すように、固着構造６により杖本体１の把持部１０は杖本体付き、例えばアンダーアーム杖本体付き３或いはアームカフ杖本体付き４に固定される。具体的には、固着構造６は中空になる柱体６２を備え、杖本体付きを挿設させる。柱体６２の一側には連接部６４を有し、螺合、嵌合、或いは他の方式により杖本体１の把持部１０に固定される。
柱体６２の他側の管壁には貫通孔６８を有し、位置決め栓６６は貫通孔６８に対応させると共に貫通孔６８のねじ山に対応させるねじ山を有する。これにより、位置決め栓６６を締めると、杖本体付き３／４は棒部１１で上下に滑動しなくなる。位置決め栓６６を緩めると、杖本体付き３／４は棒部１１で上下に滑動する。
本考案の他の実施形態では、他の固着構造を備える。実施形態では、ブラケット２はねじにより杖本体１の棒部１１に固定される。
【００２５】
本考案の多機能杖は、複数の機能を有する。使用者は自分の必要に応じて必要な部品を購入できるため、安価で便利である。
【００２６】
本明細書に記載する各／全ての実施形態は、本分野に習熟する者ならば各種の修飾、変化、結合、交換、省略、代替、相当の変化を施すことが可能であり、相互に矛盾し合わなければ、全て本考案の概念及び範囲に含まれる。
本考案で詳述する実施形態の特徴に対応するか関連する構造或いは方法、及び／或いは本考案者或いは譲受人が申請中、放棄、或いは既に承認された申請案は、全て本文に記述しており、本考案の明細書の一部分とする。
記述した部分は、対応、関連、修飾する一部分或いは全部分を含み、（１）操作及び／或いは構成に関するもの、（２）本分野に習熟する者が修飾し操作する者及び／或いは構成するもの、（３）本考案の明細書、本考案に関連する申請案、及び本分野に習熟する者の常識及び判断するあらゆる部分の実施／製造／使用或いは結合に関するものを含む。
【００２７】
ちなみに、ある条件文或いは語彙、例えば「出来る（ｃａｎ）」、「可能である（ｃｏｕｌｄ）」、「場合もある（ｍｉｇｈｔ）」、或いは「かもしれない（ｍａｙ）」とは、通常は本考案の実施形態を表す表現であるが、但し不必要な特徴、部材、或いは行程を解説するものでもある。他の実施形態では、これらの特徴、部材、或いは行程は不要の場合もある。
【００２８】
本文の前述の部材及び内容は全て本文中に記述しており、本考案の明細書の一部分とみなす。本考案に係る実施形態は例示に過ぎず、本考案の範囲を制限するものではない。本考案が示す特徴や他の特徴は方法、行程、及び技術を含み、関連する申請案に記載する特徴或いは構造の一部分或いは全部分のあらゆる結合や変更は本考案に相等せず、別個のものであり、代替可能な実施形態ではない。
本考案に記載する特徴及び方法が対応する、或いは関連するものは、文中から読み取られ相互に矛盾しないもの、及び本分野に習熟する者が行う修飾の一部分或いは全部分は、（１）操作及び／或いは構成に関するもの、（２）本分野に習熟する者が修飾し操作する者及び／或いは構成するもの、（３）本案明の明細書のいかなる部分の実施／製造／使用或いは結合に関するものとなり、（Ｉ）本考案或いは関連する構造及び方法のいかなる１つ或いはより多くの部分、及び／或いは（ＩＩ）何れか１つ或いは複数の特徴或いは実施形態の内容のいかなる変更及び／或いは組み合わせを含む、本考案に記載するいかなる１つ或いは複数の考案の概念及びこの部分の内容のいかなる変更及び／或いは組み合わせをも包括する。
【００２９】
以上、本考案の実施形態について図面を参照して詳述したが、具体的な構成はこの実施形態に限られるものではなく、本考案の要旨を逸脱しない範囲の設計変更等も含まれる。
【符号の説明】
【００３０】
１        杖本体
１０      把持部
１１      棒部
１１２    内部棒
１１２２  締め付け構造
１１２４  位置決め孔
１１４    外部棒
１１４２  凸部構造
１２      支持部
１２２    支持脚
１２４    シース
２        ブラケット
２２      穿設部
２４      収納部
３        アンダーアーム杖本体付き
３２      外部棒
３２２    締め付け構造
３２４    位置決め孔
３２６    組立端
３４      内部棒
３４４    脇の下支持部
３４４２  脇の下ブラケット
３４４４  脇の下支持パット
３４２    凸部構造
４        アームカフ杖本体付き
４２      外部棒
４２２    締め付け構造
４２４    位置決め孔
４２６    組立端
４４      内部棒
４４２    凸部構造
４６      肘支持部
５        杖本体
６        固着構造
６２      柱体
６４      連接部
６６      位置決め栓
６８      貫通孔
【図１】
0003196158.tif 000003
【図２】
0003196158.tif 000004
【図３】
0003196158.tif 000005
【図４Ａ】
0003196158.tif 000006
【図４Ｂ】
0003196158.tif 000007
【図５Ａ】
0003196158.tif 000008
【図５Ｂ】
0003196158.tif 000009
【図５Ｃ】
0003196158.tif 000010
【図５Ｄ】
0003196158.tif 000011
【図６Ａ】
0003196158.tif 000012
【図６Ｂ】
0003196158.tif 000013
【図６Ｃ】
0003196158.tif 000014
【図７】
0003196158.tif 000015
【図８】
0003196158.tif 000016
【図９】
0003196158.tif 000017
【手続補正書】
【提出日】平成26年11月10日(2014.11.10)
【手続補正１】
【補正対象書類名】実用新案登録請求の範囲
【補正対象項目名】全文
【補正方法】変更
【補正の内容】
【実用新案登録請求の範囲】
【請求項１】
杖本体と、
ブラケットと、
１つ或いは複数の杖本体付きを備え、
前記杖本体自体は杖として使用され、前記杖本体は前記ブラケットにより１つの前記杖本体付きに固定され、複数の機能を具備する杖として使用されることを特徴とする、
多機能杖。
【請求項２】
１つ或いは複数の杖本体付きは、１つのアンダーアーム杖本体付きを備えることを特徴とする、請求項１記載の多機能杖。
【請求項３】
１つ或いは複数の杖本体付きは、１つのアームカフ杖本体付きを備えることを特徴とする、請求項１記載の多機能杖。
【請求項４】
前記杖本体は把持部、棒部、及び支持部を備えることを特徴とする、請求項１記載の多機能杖。
【請求項５】
前記ブラケットは穿設部及び収納部を備え、装設する際には、前記棒部は前記穿設部を貫通させ、前記杖本体付きの組立端は収納部内に挿設されることを特徴とする、請求項４記載の多機能杖。
【請求項６】
前記杖本体及び前記杖本体付きを固定させるため固定機構を更に備えることを特徴とする、請求項４記載の多機能杖。
【請求項７】
前記固定機構は中空状の柱体及び位置決め栓を備え、前記柱体の一側は前記把持部に固定され、前記柱体の他側の側壁には貫通孔を有し、前記位置決め栓は前記貫通孔に対応させることを特徴とする、請求項６記載の多機能杖。
【請求項８】
前記支持部は複数の支持脚を有することを特徴とする、請求項４記載の多機能杖。
【請求項９】
前記杖本体は長さ調整機構を有することを特徴とする、請求項１記載の多機能杖。
【請求項１０】
各前記杖本体付きは長さ調整機構を有することを特徴とする、請求項１記載の多機能杖。
【請求項１１】
把持部からなる杖本体と、
ブラケットと、
１つ或いは複数の杖本体付きを備え、
前記杖本体自体は杖として使用され、前記杖本体は前記ブラケットにより１つの前記杖本体付きに連結され、且つ前記杖本体付き及び前記把持部の固定後、複数の機能を具備する杖として使用されることを特徴とする、
多機能杖。
【手続補正書】
【提出日】平成26年12月15日(2014.12.15)
【手続補正１】
【補正対象書類名】実用新案登録請求の範囲
【補正対象項目名】全文
【補正方法】変更
【補正の内容】
【実用新案登録請求の範囲】
【請求項１】
杖本体と、
ブラケットと、
１つ或いは複数の杖本体付きを備え、
前記杖本体自体は杖として使用され、前記杖本体は前記ブラケットにより１つの前記杖本体付きに固定され、松葉杖またはロフストランドクラッチとして使用されることを特徴とする、
多機能杖。
【請求項２】
１つ或いは複数の杖本体付きは、１つのアンダーアーム杖本体付きを備えることを特徴とする、請求項１記載の多機能杖。
【請求項３】
１つ或いは複数の杖本体付きは、１つのアームカフ杖本体付きを備えることを特徴とする、請求項１記載の多機能杖。
【請求項４】
前記杖本体は把持部、棒部、及び支持部を備えることを特徴とする、請求項１記載の多機能杖。
【請求項５】
前記ブラケットは穿設部及び収納部を備え、装設する際には、前記棒部は前記穿設部を貫通させ、前記杖本体付きの組立端は収納部内に挿設されることを特徴とする、請求項４記載の多機能杖。
【請求項６】
前記杖本体及び前記杖本体付きを固定させるため固定機構を更に備えることを特徴とする、請求項４記載の多機能杖。
【請求項７】
前記固定機構は中空状の柱体及び位置決め栓を備え、前記柱体の一側は前記把持部に固定され、前記柱体の他側の側壁には貫通孔を有し、前記位置決め栓は前記貫通孔に対応させることを特徴とする、請求項６記載の多機能杖。
【請求項８】
前記支持部は複数の支持脚を有することを特徴とする、請求項４記載の多機能杖。
【請求項９】
前記杖本体は長さ調整機構を有することを特徴とする、請求項１記載の多機能杖。
【請求項１０】
各前記杖本体付きは長さ調整機構を有することを特徴とする、請求項１記載の多機能杖。
【請求項１１】
把持部からなる杖本体と、
ブラケットと、
１つ或いは複数の杖本体付きを備え、
前記杖本体自体は杖として使用され、前記杖本体は前記ブラケットにより１つの前記杖本体付きに連結され、且つ前記杖本体付き及び前記把持部の固定後、松葉杖またはロフストランドクラッチとして使用されることを特徴とする、
多機能杖。
【手続補正２】
【補正対象書類名】明細書
【補正対象項目名】０００３
【補正方法】変更
【補正の内容】
【０００３】
支持する部位により杖は幾つかの種類に分けられる。例えば、脇の下で支える松葉杖、前腕で支えるロフストランドクラッチ、プラットホームクラッチ等である。従来の杖は皆単一の機能しか具備していない。よって、もし２種類以上の機能を使用したい場合は、別個に杖を購入せねばならず、出費がかさむ上、場所も取るといった問題があった。
【手続補正３】
【補正対象書類名】明細書
【補正対象項目名】００１９
【補正方法】変更
【補正の内容】
【００１９】
本実施形態によれば、杖本体１にはブラケット２により杖本体付きが固定され、他の機能を具備する杖になる。例えば、杖本体１にアームカフ杖本体付き４が固定されると、ロフストランドクラッチになる。杖本体１にアンダーアーム杖本体付き３が固定されると、松葉杖になる。
【手続補正４】
【補正対象書類名】明細書
【補正対象項目名】００２３
【補正方法】変更
【補正の内容】
【００２３】
図８は本考案の好ましい実施形態を図示する。アームカフ杖本体付き４及び杖本体１はブラケット２により結合された後、ロフストランドクラッチとなる。具体的には、杖本体１の棒部１１がブラケット２の穿設部２２に貫入され、アームカフ杖本体付き４の組立端４２６がブラケット２の収納部２４に設置されることで、装設が完成する。